(57)【要約】【課題】吊り下げ部材が切れた場合等であっても、鉄筋を吊り下げた状態を維持でき、鉄筋を吊り下げた状態で行う現場作業の安全性を向上させることのできる鉄筋落下防止治具、鉄筋吊り下げ治具及び鉄筋落下防止方法を提供する【解決手段】鉄筋落下防止治具１０は、鉄筋落下防止治具１０は、図１に示すように、棒状の雄螺子棒２２と、雄螺子棒２２に取り付けられるシャックル（回転金具）２４とから構成される。鉄筋吊り下げ治具１２は、鉄筋落下防止治具１０と、吊り天秤（保持体）１０６と、スリングベルト（吊り下げ部材）１０８と、ワイヤー（落下防止部材）５２と、を備えて構成される。【選択図】図１
2020045689.tif 000002
【特許請求の範囲】
【請求項１】
空中に保持される保持体に釣支された吊り下げ部材によって吊り下げられる鉄筋の落下を防止する鉄筋落下防止治具であり、
棒状であり、一端側に、長手方向に対して垂直方向の貫通孔が設けられ、少なくとも他端側に、雄螺子が設けられた雄螺子棒と、
前記雄螺子棒の前記貫通孔に貫通される回転軸を有し、該回転軸を回転中心として回転する回転金具と、
を備え、
前記鉄筋の上端に螺合された雌螺子体に、前記雄螺子棒の他端側が螺入され、前記保持体に釣支される落下防止部材に、前記回転金具が連結されるように構成されたことを特徴とする鉄筋落下防止治具。
【請求項２】
前記請求項１に記載する前記鉄筋落下防止治具と、
前記請求項１に記載する前記保持体と、
前記請求項１に記載する前記吊り下げ部材と、
前記請求項１に記載する前記落下防止部材と、
を備えた鉄筋吊り下げ治具。
【請求項３】
前記請求項１に記載する前記鉄筋落下防止治具を使用して、空中に保持される保持体に釣支された吊り下げ部材によって吊り下げられる鉄筋の落下を防止する鉄筋落下防止方法であり、
前記鉄筋の上端に螺合された雌螺子体に、前記鉄筋落下防止治具の前記雄螺子棒の他端側を螺入する工程と、
前記保持体に釣支される落下防止部材に、前記鉄筋落下防止治具の前記回転金具を連結する工程と、
を含むことを特徴とする鉄筋落下防止方法。
【請求項４】
前記吊り下げ部材が前記鉄筋を吊り下げているとき、前記保持体に釣支される落下防止部材に、該鉄筋の重量が負荷されないことを特徴とする請求項３に記載する鉄筋落下防止方法。
【請求項５】
前記吊り下げ部材が前記鉄筋を吊り下げているとき、前記回転金具は、前記回転中心から斜め上に延びる方向であることを特徴とする請求項３又は４に記載する鉄筋落下防止方法。
【発明の詳細な説明】
【技術分野】
【０００１】
本発明は、吊るした鉄筋が落下するのを防止する鉄筋落下防止治具、鉄筋吊り下げ治具、及びその鉄筋落下防止治具を使用した鉄筋落下防止方法に関する。
【背景技術】
【０００２】
従来より、橋梁の橋脚などを形成するために、その構成部材である縦筋（鉄筋）を工事現場において吊り下げることが行われている。図７（ａ）に、縦筋（鉄筋）１００を吊り下げる公知の鉄筋吊り下げ治具１０２を示す。鉄筋吊り下げ治具１０２は、レッカー装置（図示しない）が備えるフック１０４に吊り下げられ空中に保持される吊り天秤（保持体）１０６と、吊り天秤１０６の長手方向に複数個配設した帯状のスリングベルト（吊り下げ部材）１０８とを備えて構成されている。図７（ｂ）に示すように、スリングベルト１０８の一端には、吊り天秤１０６に連結するためのリング状のアイ１１０が設けられ、スリングベルト１０８の他端には、縦筋１００に連結するためのリング状のアイ１１２が設けられている。鉄筋吊り下げ治具１０２は、アイ１１０を、図７（ａ）に示すように、シャックル１１４及びラッチロック１１６を介して吊り天秤１０６に連結し、アイ１１２を、図７（ｃ）に示すように、ひばり結びにより、縦筋１００に連結した状態で、縦筋１００を吊り下げることができる。
【０００３】
また、特許文献１には、クレーン（楊重手段）により釣支される治具本体（支持部材）を有し、治具本体にチェーン（吊り下げ部材）を水平方向に複数個配設し、各チェーンの先端に鉄筋と接続自在なシャックル（接続部材）を設けて構成した鉄筋吊り下げ治具が記載されている。
【先行技術文献】
【特許文献】
【０００４】
【特許文献１】特開平７−７１１１７号公報
【発明の概要】
【発明が解決しようとする課題】
【０００５】
しかしながら、図７（ａ）に示す鉄筋吊り下げ治具１０２では、劣化によりスリングベルト１０８が切れ、又は、縦筋１００が衝撃を受けてアイ１１２のひばり結びが緩んで縦筋１００からスリングベルト１０８が離脱した場合、縦筋１００が落下し、縦筋１００を吊り下げておくことができない。また、特許文献１の鉄筋吊り下げ治具では、劣化によりチェーンが切れた場合、縦筋が落下し、縦筋を吊り下げておくことができない。
【０００６】
本発明は、係る事由に鑑みてなされたものであり、その目的は、吊り下げ部材が切れた場合、又は、吊り下げ部材が鉄筋（縦筋）から離脱した場合であっても、鉄筋を吊り下げた状態を維持でき、鉄筋を吊り下げた状態で行う現場作業の安全性を向上させることのできる鉄筋落下防止治具、鉄筋吊り下げ治具及び鉄筋落下防止方法を提供することにある。
【課題を解決するための手段】
【０００７】
上記目的を達成するために、請求項１に記載の鉄筋落下防止治具は、空中に保持される保持体に釣支された吊り下げ部材によって吊り下げられる鉄筋の落下を防止する鉄筋落下防止治具であり、棒状であり、一端側に、長手方向に対して垂直方向の貫通孔が設けられ、少なくとも他端側に、雄螺子が設けられた雄螺子棒と、前記雄螺子棒の前記貫通孔に貫通される回転軸を有し、該回転軸を回転中心として回転する回転金具と、を備え、前記鉄筋の上端に螺合された雌螺子体に、前記雄螺子棒の他端側が螺入され、前記保持体に釣支される落下防止部材に、前記回転金具が連結されるように構成されたことを特徴とする。
【０００８】
請求項２に記載の鉄筋吊り下げ治具は、前記鉄筋落下防止治具と、前記保持体と、前記吊り下げ部材と、前記落下防止部材と、を備えたことを特徴とする。
【０００９】
請求項３に記載の鉄筋落下防止方法は、前記請求項１に記載する前記鉄筋落下防止治具を使用して、空中に保持される保持体に釣支された吊り下げ部材によって吊り下げられる鉄筋の落下を防止する鉄筋落下防止方法であり、前記鉄筋の上端に螺合された雌螺子体に、前記鉄筋落下防止治具の前記雄螺子棒の他端側を螺入する工程と、前記保持体に釣支される落下防止部材に、前記鉄筋落下防止治具の前記回転金具を連結する工程と、を含むことを特徴とする。
【００１０】
請求項４に記載の鉄筋落下防止方法は、前記吊り下げ部材が前記鉄筋を吊り下げているとき、前記保持体に釣支される落下防止部材に、該鉄筋の重量が負荷されないことを特徴とする。
【００１１】
請求項５に記載の鉄筋落下防止方法は、前記吊り下げ部材が前記鉄筋を吊り下げているとき、前記回転金具は、前記回転中心から斜め上に延びる方向であることを特徴とする。
【発明の効果】
【００１２】
本発明の鉄筋落下防止治具、鉄筋吊り下げ治具及び鉄筋落下防止方法によれば、吊り下げ部材が切れた場合、又は、吊り下げ部材が鉄筋から離脱した場合であっても、落下防止部材が鉄筋を保持し、鉄筋を吊り下げた状態を維持でき、鉄筋を吊り下げた状態で行う現場作業の安全性を向上させることができる。
【図面の簡単な説明】
【００１３】
【図１】本発明に係る鉄筋落下防止治具を示す図であって、同図（ａ）が正面図、同図（ｂ）が右側面図である。
【図２】図１に示す鉄筋落下防止治具を使用した鉄筋落下防止方法を説明するための図であって、同図（ａ）が鉄筋を吊るした状態を示す正面図、同図（ｂ）が鉄筋のみを示す拡大平面断面図である。
【図３】図１に示す鉄筋落下防止治具を分解した状態を示す図であって、同図（ａ）が雄螺子棒を示す正面図、同図（ｂ）が回転金具を示す正面図、同図（ｃ）が回転金具を示す右側面図である。
【図４】図２（ａ）に示す鉄筋落下防止方法を説明するための一部拡大正面図である。
【図５】図１に示す鉄筋落下防止治具を使用する作業を説明するための正面図である。
【図６】図２（ａ）に示す鉄筋落下防止方法を説明するための一部拡大正面図である。
【図７】従来の鉄筋吊り下げ治具を示す図であって、同図（ａ）は正面図、同図（ｂ）はスリングベルトを示す一部拡大図、同図（ｃ）は鉄筋にスリングベルトを連結した状態を示す一部拡大図である。
【発明を実施するための形態】
【００１４】
以下、本発明を実施するための形態を、図面に基づいて説明する。図１及び図２において、符号１０は、本発明の鉄筋落下防止治具を示し、図２において、符号１２は、本発明の鉄筋吊り下げ治具を示す。
【００１５】
鉄筋落下防止治具１０及び鉄筋吊り下げ治具１２は、図２（ａ）に示すように、空中に保持される吊り天秤（保持体）１０６に釣支されたスリングベルト（吊り下げ部材）１０８によって吊り下げられる縦筋（鉄筋）１００の落下を防止できる治具である。縦筋１００は、図２（ｂ）に示すように、外周に雄螺子１８が設けられ、長手方向に沿った互いに平行な二つの平坦面２０が設けられた異形棒鋼と呼ばれる鉄筋である。
【００１６】
鉄筋落下防止治具１０は、図１に示すように、棒状の雄螺子棒２２と、雄螺子棒２２に取り付けられるシャックル（回転金具）２４とから構成される。雄螺子棒２２は、上記縦筋１００と同じ鉄筋を切断して形成され、縦筋１００と同様に、外周に雄螺子１８を有し、平行な二つの平坦面２０を有する。雄螺子棒２２の一端２６側に、図３（ａ）に示すように、長手方向に対して垂直方向の貫通孔２８が設けられている。シャックル２４は、市販のボルトナット式（ワリピン式）のシャックルであり、図３（ｂ）及び（ｃ）に示すように、二つの先端２９付近に貫通孔３０が設けられたＵ字状の本体３４と、先端３１付近の外周に雄螺子が設けられ、ナット３２が螺合されワリピン３９が挿入されて本体３４に連結されるボルト（回転軸）３８とから構成されている。シャックル２４は、このボルト（回転軸）３８が雄螺子棒２２の貫通孔２８に貫通されてシャックル２４が雄螺子棒２２に取り付けられることにより、ボルト（回転軸）３８を回転中心として回転し得る。図示しないが、本体の一の先端付近に設けた雌螺子にアイボルトをねじ込むねじ込み式のシャックルを使用してもよい。さらに、その他の形式のシャックルを使用してもよい。
【００１７】
以下、鉄筋落下防止治具１０を使用した鉄筋落下防止方法について説明する。特に明示しない限り、時系列に従って説明する。まず、図５に示すように、５本のスリングベルト１０８のアイ１１０を、シャックル１１４及びスイベルフック１１７を介して吊り天秤１０６に連結し、スリングベルト１０８のアイ１１２を、ひばり結び（図７（ｃ）に示す）により、縦筋１００に連結する。スイベルフックとは、二つの部材を回転可能に連結できるフックである。縦筋１００の一端にはカプラー（雌螺子体）が螺合され固定される。アイ１１２の結び目が緩くなって縦筋１００がアイ１１２に対して下方向へ滑っても、縦筋１００の一端に固定されたカプラー４０が結び目で止まり、縦筋１００がアイ１１２から落下し難くなる。カプラー４０は、一の鉄筋と他の鉄筋とを縦方向に連結するためのものであって市販されており、一の鉄筋及び他の鉄筋を螺入する螺子孔５０（図４に示す）を有する。吊り天秤１０６には、シャックル４２を介してワイヤー４４の一端が連結され、ワイヤー４４の他端は、シャックル４６を介してレッカーリング４８に連結されている。上記作業は、縦筋１００等の全ての部材が地上に載置された状態で行われ、この時、図５に示すように、スリングベルト１０８は弛んでいる。
【００１８】
次に、一端に端部リング５４を他端に端部リング５６を有するワイヤー５２（落下防止部材、図２に示す）が準備される。ワイヤー５２は、縦筋１００の荷重に充分に耐え得る強度を有するものが選択される。そして、ＪＩＳシャックル（ＪＩＳ規格シャックル）（図２に示す）５７を介したワイヤー５２と吊り天秤１０６との連結が行われる。各部材の連結の順序は特に限定されない。各部材の連結の一例を以下に説明する。
【００１９】
雄螺子棒２２の二つの平坦面２０が挟持具（図示しない）で挟持されて、図４に示すように、雄螺子棒２２がカプラー４０の螺子孔５０に螺入されて連結される。そして、雄螺子棒２２にシャックル２４が取り付けられ、また、シャックル２４が市販のダブルシャックル４１に連結され、ダブルシャックル４１に市販のＪＩＳシャックル４３が連結され、ワイヤー５２がＪＩＳシャックル４３に連結される。ダブルシャックル４１は、図４に示すように、第一連結部材４５と、第一連結部材４５に対して回転中心Ｃ１のまわりに回転可能な第二連結部材４７とから構成されている。次に、ワイヤー５２の端部リング５６が、図２に示すように、ＪＩＳシャックル５７を介して吊り天秤１０６に連結される。このようにして鉄筋吊り下げ治具１２が形成される。すなわち、鉄筋吊り下げ治具１２は、鉄筋落下防止治具１０と、吊り天秤（保持体）１０６と、スリングベルト（吊り下げ部材）１０８と、ワイヤー（落下防止部材）５２と、を備えて構成される。なお、ダブルシャックル４１及びＪＩＳシャックル４３等を介して鉄筋落下防止治具１０を吊り天秤１０６に連結した後に、鉄筋落下防止治具１０の雄螺子棒２２をカプラー４０に連結して、鉄筋吊り下げ治具１２を形成することも可能である。また、ダブルシャックル４１、ＪＩＳシャックル４３、ＪＩＳシャックル５７は、ワイヤー５２の端部近傍の動きを円滑化できるものであるが、円滑化のためには、特にこれらに限定されるものではない。
【００２０】
次に、ワイヤー４４（図２に示す）等を介して吊り天秤１０６に既に連結されているレッカーリング４８（図２に示す）が、レッカー装置（図示しない）が備えるフック１０４に連結される。レッカー装置により、レッカーリング４８及び吊り天秤１０６等が持ち上げられていき、図２に示すように、縦筋１００がスリングベルト１０８によって空中に保持されるまでレッカーリング４８及び吊り天秤１０６等が持ち上げられる。
【００２１】
縦筋１００が空中に保持された時、図２に示すように、スリングベルト１０８に縦筋１００の重量が負荷され、スリングベルト１０８には張力が生じ、スリングベルト１０８は弛まないで垂下する。すなわち、縦筋１００の重量の全てがスリングベルト１０８に負荷される。この時、図２及び図４に示すように、シャックル２４が、回転中心から斜め上に延びる方向になるように、ワイヤー５２の長さが調節されている。
【００２２】
空中に保持された縦筋１００は、例えば、橋梁の橋脚を形成するために、既に基礎に固定されている複数段の横方向の帯筋（図示しない）に沿って配置されていく。縦筋１００が空中に保持されている時、もし、劣化によりスリングベルト１０８が切れ、又は、縦筋１００が衝撃を受けてアイ１１２のひばり結びが緩んで縦筋１００及びカプラー４０からスリングベルト１０８が離脱した場合、スリングベルト１０８による縦筋１００の保持はできなくなる。
【００２３】
この時、図６に示すように、縦筋１００、カプラー４０及び雄螺子棒２２が、降下し、シャックル２４が、雄螺子棒２２の降下に従ってボルト（回転軸）３８を回転中心として、図６における時計まわりに回転する。縦筋１００等が降下することにより、作業者はスリングベルト１０８が切れたこと等を目視で認識できる。その後に、シャックル２４の回転が停止した時、ワイヤー５２に、縦筋１００、カプラー４０、雄螺子棒２２及びシャックル２４等の荷重が負荷され、ワイヤー５２に張力が負荷される。ワイヤー５２に縦筋１００等の荷重が負荷されることにより、縦筋１００等の降下が停止する。すなわち、縦筋１００等がワイヤー５２によって空中に保持され、縦筋１００の落下を防止できる。また、スリングベルト１０８が縦筋１００を吊り下げているとき、シャックル２４は、回転中心から斜め上に延びる方向であり、スリングベルト１０８が切れた時等に、シャックル２４の回転量を少なくして縦筋１００等の降下する距離が極力少なくなるようにしている。このため、ワイヤー５２に縦筋１００等の荷重が負荷された瞬間の衝撃及び縦筋１００等からの反力を極力少なくでき、ワイヤー５２に縦筋１００等の荷重が負荷された瞬間に、縦筋１００等が大きく揺動することはなく、ワイヤー５２の弾性力によって縦筋１００等が跳ね上がったりすることもなく、安全性を向上させることができる。
【００２４】
本発明の鉄筋落下防止治具１０、鉄筋吊り下げ治具１２及び鉄筋落下防止方法によれば、スリングベルト１０８が切れた場合、又は、スリングベルト１０８が縦筋１００等から離脱した場合であっても、縦筋１００を吊り下げた状態を維持できる。これにより、帯筋への縦筋１００の配置作業の安全性を向上させることができる。また、本発明の鉄筋落下防止方法によれば、スリングベルト１０８が縦筋１００を保持して帯筋への縦筋１００の配置作業を行っている時には、ワイヤー５２に縦筋１００の荷重が負荷されない。このため、帯筋へ縦筋１００を配置するために縦筋１００を上下移動する時に、上下方向の衝撃がワイヤー５２に負荷されワイヤー５２の強度が低下しワイヤー５２が損傷することはない。これにより、スリングベルト１０８が切れた場合等には、ワイヤー５２によって確実に縦筋１００を保持できる。すなわち、ワイヤー５２は、縦筋１００の落下防止専用として機能する。
【００２５】
以上、本発明の実施形態について説明したが、本発明は、実施形態に記載したものに限定されることなく、特許請求の範囲に記載した事項の範囲でのさまざまな設計変更が可能である。例えば、本発明の鉄筋落下防止方法において、ワイヤー５２の代替としてチェーン又はスリングベルトを使用してもよい。
【符号の説明】
【００２６】
１０    鉄筋落下防止治具
１２    鉄筋吊り下げ治具
１８    雄螺子
２０    平坦面
２２    雄螺子棒
２４    シャックル（回転金具）
２８    貫通孔
３０    貫通孔
３２    螺子孔
３４    本体
３６    雄螺子
３８    ボルト（回転軸）
４０    カプラー
５０    螺子孔
５２    ワイヤー（落下防止部材）
５４    端部リング
５６    端部リング
１００  縦筋（鉄筋）
１０６  吊り天秤（保持体）
１０８  スリングベルト（吊り下げ部材）
【図１】
2020045689.tif 000003
【図２】
2020045689.tif 000004
【図３】
2020045689.tif 000005
【図４】
2020045689.tif 000006
【図５】
2020045689.tif 000007
【図６】
2020045689.tif 000008
【図７】
2020045689.tif 000009